(57)【特許請求の範囲】
【請求項１】
スタジオセットに用いられる遠見パネルであって、
格子状に配列された画素子群により映像を表示するディスプレイ装置と、
前記画素子群により形成される画素子面上に設けられた、前記画素子群からの入射光を拡散させる光拡散フィルムと、を備えたことを特徴とする遠見パネル。
【請求項２】
前記光拡散フィルムは、前記画素子面から所定の間隙を保持して設けられることを特徴とする請求項１記載の遠見パネル。
【請求項３】
前記遠見パネルは、
前記画素子面と前記光拡散部材との間に、透明性の間隙部材をさらに備えることを特徴とする請求項２記載の遠見パネル。
【請求項４】
壁面を有するスタジオセットにおいて、
前記壁面に設けられた窓相当部分と、
前記窓相当部分に設置される、格子状に配列された画素子群により映像を表示するディスプレイ装置と、
前記ディスプレイ装置に表示されるべき映像を制御する制御手段とを備え、
前記ディスプレイ装置は、
前記画素子群により形成される画素子面上に設けられた透明かつ硬質性の間隙部材と、
前記間隙部材上に設けられた、前記画素子群からの入射光を拡散させる可撓性の光拡散フィルムと、を備えたことを特徴とするスタジオセット。
【請求項５】
壁面を有するスタジオセットにおいて、
前記壁面に設けられた窓相当部分と、
前記窓相当部分に設置される、格子状に配列された画素子群により映像を表示するディスプレイ装置と、
前記ディスプレイ装置に表示されるべき映像を制御する制御手段と、
前記スタジオセットにて使用されるビデオカメラと前記ディスプレイ装置との位置関係に関する情報を取得する取得手段と、を備え、
前記制御手段は、
前記取得手段により取得される位置関係に関する情報に基づいて、前記ディスプレイ装置に表示されるべき映像を制御することを特徴とするスタジオセット。
【請求項６】
前記ディスプレイ装置は、前記画素子群により形成される画素子面上に、前記画素子群からの入射光を拡散させる光拡散フィルムが設けられることを特徴とする請求項５記載のスタジオセット。
【請求項７】
前記光拡散フィルムは、前記画素子面から所定の間隙を保持して設けられることを特徴とする請求項６記載のスタジオセット。
【請求項８】
前記ディスプレイ装置は、前記画素子面と前記光拡散フィルムとの間に、透明性の間隙部材さらに備えることを特徴とする請求項７記載のスタジオセット。
【発明の詳細な説明】
【０００１】
【発明の属する技術分野】
本発明は、スタジオセット用ディスプレイ装置およびこれを用いたスタジオセットに関する。
【０００２】
【従来技術】
テレビや映画の制作では、スタジオ内に実物を模擬したセットを作り、そこでビデオカメラにより撮影をする場合も多い。例えば、室内セットにおいては、従来、窓部分に背景用の写真パネルを貼り合わせることで、あたかも窓から外の景色を望んでいるかのように見せている。このような写真パネルは、遠見パネルと呼ばれることもある。
【０００３】
【発明が解決しようとする課題】
昨今のビデオカメラ技術およびディスプレイ技術の向上により、高精細な映像を得ることができるようになった。特に、ＢＳデジタル放送等におけるハイビジョン放送の普及により、高精細な映像に対する要求がますます高まるものと期待されている。
【０００４】
しかしながら、このようなハードウェア技術の向上は、高精細な映像をもたらしてくれる反面、被写体がより鮮明に映し出されることになる。したがって、スタジオセットを用いて撮影した場合には、その質の差まではっきりと映し出されることになり、見ている者にそれが作り物（模擬品）であることが伝わってしまうという問題があった。
【０００５】
特に、従来の遠見パネルでは、元となる写真を引き伸ばすことにより、その粒子が粗くなったり、継ぎ目が目立つ等、それが一見して作り物であることがわかってしまうという問題があった。また、従来の遠見パネルでは、写真パネルを用いていたため、風にそよぐ木の枝や街の交通の流れといった動的な背景を演出することができず、また、それが平面的であるために、ビデオカメラのカメラワークを制限せざるを得なかった。さらに、従来の遠見パネルでは、ドラマの中での時刻の変化に合わせて昼から夜に撮影シーンを切り替える場合には、わざわざその写真パネルを張り替えなければならず、非常に煩雑であった。
【０００６】
そこで、本発明は、スタジオセットで用いられる従来の写真パネルに代わる、リアルな背景を演出する新たな遠見パネル（スタジオセット用パネル）およびこれを用いたスタジオセットを提供することを目的としている。
【０００７】
ところで、新たな遠見パネルとして、従来の写真パネルに代えてＬＥＤディスプレイ装置等を利用した場合には、ビデオカメラにより撮影された映像に、図６に示すようなモアレ（干渉縞）Ｍが発生してしまう場合があるという問題がある。すなわち、このようなモアレが生じる原因としては、図７（ａ）に示すように、明暗が等間隔に並ぶ模様を有する被写体Ａが、レンズを介してビデオカメラの撮像素子（ＣＣＤ）上に結像される場合、被写体Ａの明部のそれぞれが撮像素子のそれぞれに結像した面積どうしに差が生じ、結果として撮像素子のそれぞれの出力レベルに差が生じてしまうことに起因している。つまり、像Ｂ１は、撮像素子Ｃ１にほぼ全体が結像されているのに対して、像Ｂ２は撮像素子Ｃ２全体のほぼ半分、像Ｂ３では撮像素子Ｃ３にほとんど結像されないことになる。したがって、一つの明るさの被写体Ａを撮影しても、実際の撮像素子の出力レベルは、Ｄ１，Ｄ２およびＤ３のように変動することになる。この出力レベルの変動を連続的に見れば、同図（ｂ）に示すように波状になり、画面全体では図６に示したようなモアレ模様として観察されることになる。
【０００８】
したがって、新たな遠見パネルとしてせっかくＬＥＤディスプレイ装置を採用することによりリアルな背景を演出したとしても、ビデオカメラにより撮影される映像にモアレを含んでしまったのでは、作り物であることがわかってしまう結果になり、もはや実用に耐えうるものではなくなってしまうという問題があった。
【０００９】
そこで、本発明は、ビデオカメラを通して見える映像がリアルなものとして映し出されるスタジオセット用パネルを提供することをさらに目的としている。
【００１０】
すなわち、本発明の課題は、高精細映像を撮影可能なビデオカメラを用いてスタジオセット用パネルを撮影した場合であっても、そのスタジオセット用パネルが模擬的でなくより実際的な映像として映し出されるようにすることである。
【００１１】
より具体的には、本発明の課題は、高精細映像を撮影可能なビデオカメラにより撮影した映像にモアレが映し出されることがないようにしたスタジオセット用パネルを提供することである。
【００１２】
【課題を解決するための手段】
本発明の要旨は、スタジオセットにおける窓相当部分に、格子状に配列された画素子群により構成されたディスプレイ装置を設け、このディスプレイ装置にスタジオセットを演出する映像を表示させることである。ここで、ディスプレイ装置としては、パネル型形状のものが好ましく、例えば、ＬＥＤディスプレイ装置やプラズマディスプレイ装置等を採用することが好ましい。
【００１３】
すなわち、本発明は、格子状に配列された画素子群により映像を表示する表示部と、前記画素子群により形成される画素子面上に設けられた、入射光を拡散させる光拡散部材と、を備えたことを特徴とするスタジオセット用ディスプレイ装置である。
【００１４】
ここで、前記光拡散部材は、前記画素子面から所定の間隙を保持して設けられることを特徴とする。また、光拡散部材としては、例えば可撓性の光拡散フィルムを採用することができる。
【００１５】
また、前記画素子面と前記光拡散部材との間に、透明性の間隙部材が設けられることが好ましい。この間隙部材としては、例えばアクリル樹脂板を採用することができる。
【００１６】
また、本発明は、窓相当部分を有するスタジオセットにおいて、前記窓相当部分に設置される、前記ディスプレイ装置と、前記ディスプレイ装置に表示されるべき映像を制御する制御手段とを備えたことを特徴とするスタジオセットである。
【００１７】
前記スタジオセットは、前記スタジオセットにて使用されるビデオカメラと前記ディスプレイ装置との位置関係に関する情報を取得する取得手段をさらに備え、前記制御手段は、前記取得手段により取得される位置関係に関する情報に基づいて、表示されるべき映像を制御することを特徴とする。
【００１８】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【００１９】
【発明の実施の形態】
次に、本発明の実施の形態について、図面を参照しつつ説明する。
【００２０】
［第１の実施形態］
図１は、本実施形態に係るスタジオセット用ディスプレイ装置を用いたスタジオセットの一例を示す図である。このスタジオセットは、あるドラマの１シーンに使われる部屋の内装を演出したものである。この部屋の正面方向壁面の窓相当部分には３つのディスプレイ装置１がそれぞれ埋め込まれ、窓を演出している。ディスプレイ装置１は、図示しない表示制御装置に接続されており、表示制御装置から送られる映像信号に基づいてフルカラーの映像を表示できるようになっている。ディスプレイ装置１は、例えば撮影の間、風にそよぐ木の枝や街の交通の流れといった動的な映像を表示する。なお、本実施形態では、ディスプレイ装置１として、高精細（例えば画素ピッチ３ｍｍ）のフルカラーＬＥＤディスプレイパネルを用いるものとする。このディスプレイ装置１は、例えば３２０×１９２個の画素子（ＬＥＤ：L）群からなり、その表示面（発光面）には、後述するように、ビデオ撮影された映像にモアレが発生しないようにするための部材が設けられている。
【００２１】
図２は、本実施形態に係るディスプレイ装置１の表示面の部分断面図である。同図に示すように、ディスプレイ装置１にはＬＥＤ２１が多数配列され、表示面Ｓを形成している。この表示面Ｓ上には透明性のアクリル樹脂板２２が設けられ、さらにこのアクリル樹脂板２２上には光拡散フィルム２３が設けられている。アクリル樹脂板２２は、光拡散フィルム２３の撓みを防止して表示面Ｓから一定のの間隙を保持して光拡散フィルム２３が設けられるようにするためのものである。アクリル樹脂板２２と光拡散フィルム２３とは空気の層が形成されないように圧着されていることが好ましく、例えば、透明性の接着剤により接着される。アクリル樹脂板２２の厚みは、３〜６ｍｍ程度であることが好ましい。光拡散フィルム２３は、例えば無色または有色の透明フィルムの表面に化学的処理が施されて微少な凹凸面が形成されたものや、光を拡散させるための不純物（粒子）が混ぜ合わされて生成された透明フィルムである。
【００２２】
なお、本実施形態では、光拡散部材として可撓性の光拡散フィルム２３を採用したため、その撓みを防止すべく間隙部材としてアクリル樹脂板２２を使用したが、光拡散部材が硬質性のもの、例えばすりガラスのようなものであれば、間隙部材を省略するようにしてもよい。
【００２３】
このように構成されたディスプレイ装置１は、図示しない表示制御装置から出力される映像信号により、ＬＥＤが発光し、映像を再現する。このとき、ＬＥＤ群のそれぞれから発射された光は、アクリル樹脂板２２を通過し、光拡散フィルム２３に到達する。光拡散フィルム２３に到達した光は、ここで拡散され隣接するＬＥＤから発射された光と融合されることになる。
【００２４】
すなわち、図３（ａ）に示すように、明暗が等間隔に並ぶ模様を有する被写体Ａ（ディスプレイ装置の画素子群）が、レンズを介してビデオカメラの撮像素子（ＣＣＤ）上に結像される場合に、その被写体の前方に光を拡散させる部材（光拡散部材）Ｅが配置されることにより、明部と暗部の部分が相互に混ざり合って像Ｂが形成されるため、両者間の出力レベルの差を小さくすることができる。つまり、ビデオカメラで撮影したときの出力レベルＤは、同図（ｂ）に示すように、その変動幅が小さくなる。したがって、この光の拡散レベルを調節することにより、人間の目でみて無視できる程度に出力レベルの変動を抑制することができるようになる。この光の拡散レベルの調節は、例えば、被写体Ａと光拡散部材Ｅとの距離および／または光拡散部材Ｅの材質により行うことができる。
【００２５】
以上のように、本実施形態によれば、高精細のディスプレイ装置を遠見パネルとして利用したので、従来の写真パネルに比較してよりリアリティ感ある遠見パネルを実現できるようになる。また、ディスプレイ装置１に、風にそよぐ木の枝や街の交通の流れといった動的な映像を表示させることにより、さらなるリアリティ感を演出することができるとともに、シーンの切り替えに写真パネルのようにわざわざ背景画を入れ替える手間を省くことができるようになる。
【００２６】
特に、本実施形態では、ディスプレイ装置１に光拡散部材を設けているので、ビデオカメラにより撮影される映像であっても、モアレが発生することなく良質な映像を提供できるようになる。
【００２７】
［第２の実施形態］
本実施形態は、スタジオセット内のビデオカメラの位置（カメラアングル）に応じて、上記実施形態に係るディスプレイ装置１に表示されるべき映像を制御することを特徴としている。
【００２８】
図４は、本実施形態に係るスタジオセットの構成を説明する概略図である。同図に示すように、スタジオセットは、例えば、壁４１により部屋の内装が演出され、その壁４１の一部にはディスプレイ装置１が取り付けられている。ビデオカメラ４２は、さまざまなカメラワークで被写体を撮影し、ビデオテープ等の記録媒体に映像を記録する。スタジオセットを収めているスタジオ内には、位置センサ４３が設けられている。この位置センサ４３は、ビデオカメラ４２の位置を計測するためのものであり、ビデオカメラ４２に向けて例えば赤外線を発射し、その反射波を観測する。位置センサ４３によって観測されたデータは、位置算出手段４４に入力される。
【００２９】
位置算出手段４４は、それぞれの位置センサ４３から送られる観測データに基づいてスタジオセット内におけるビデオカメラ４２の位置情報を算出し、この算出した位置情報を仮想背景生成手段４５に送出する。仮想背景生成手段４５は、ビデオカメラ４２とディスプレイ装置１との位置関係にしたがって、仮想背景データ記憶手段４６に記憶されている背景データからディスプレイ装置１に表示されるべき映像を生成し、これを表示制御手段４７に送出するというものである。すなわち、予め与えられているディスプレイ装置１の位置情報と、位置情報算出手段４４から送られてきたビデオカメラ４２の位置情報とに基づいて仮想背景面Ｖを決定し、その仮想背景面Ｖの映像を仮想背景データ記憶手段４６に記憶された背景データから作り出して、これをディスプレイ装置１に表示されるべき映像として表示制御手段４７に送出する。表示制御手段４７は、送られてきた映像信号をディスプレイ装置１に送出する。
【００３０】
例えば、スタジオセットに窓が設けられたとして、その窓から見える背景を仮想背景面Ｖとして想定する。今、Ａの位置にあるビデオカメラ４２から窓（ディスプレイ装置１）方向を撮影したとすると、窓から見える背景（仮想背景面）はＶ１の範囲となる。したがって、ディスプレイ装置１には、Ｖ１に相当する背景を映像として表示されることになる。次に、ビデオカメラ４２がＢの位置に移動しつつ、窓方向を撮影したとすると、仮想背景面は相対的に移動してＶ２の範囲となる。したがって、ディスプレイ装置１には、ビデオカメラ４２の移動に対応させながら、仮想背景面Ｖ２に相当する背景を映像として表示されることになる。
【００３１】
図５は、本実施形態に係る表示制御系の処理動作を説明するためのフローチャートである。同図に示すように、位置算出手段４４は、位置センサ４３からの観測情報に基づいてビデオカメラ４２が移動したか、つまり位置情報が変化したか否かをチェックする（Ｓ５０１）。ここで、カメラ位置が移動したと判断される場合には、位置算出手段４４はその観測情報に基づいて現在のビデオカメラの位置情報を算出する（Ｓ５０２）。次に、仮想背景面生成手段４５は、予め与えられているディスプレイ装置１の位置情報と、位置算出手段４４から送られてきたビデオカメラ４２の位置情報に基づいて仮想背景面上の背景データを生成する（Ｓ５０３）。そして、表示制御手段４７は、生成された背景データ（映像信号）をディスプレイ装置１に出力することにより、ディスプレイ装置１には背景が表示されることになる（Ｓ５０４）。
【００３２】
なお、本実施形態では、１つのビデオカメラのカメラワークに応じてディスプレイ装置１に表示されるべき映像を制御することとしたが、特にこれにこだわるものではない。例えば、複数のビデオカメラ４２を切り替えることにより、そのとき有効なビデオカメラからの位置情報に応じてディスプレイ装置１に表示されるべき映像を制御するようにしてもよい。
【００３３】
また、本実施形態では、ビデオカメラ４２の位置を位置センサ４２により取得することとしたが、例えば、ロボットアームに設けられたビデオカメラ４２を用いる場合には、そのロボットアームの位置制御情報を用いるようにしてもよい。
【００３４】
さらに、ビデオカメラ４２の物理的移動による位置の変化のみならず、カメラアングルの変化や、ズームアップ・ズームインというフォーカスの変化といったカメラワークにしたがって仮想背景面が変化するような場合にも、それらの変化情報に基づいて表示されるべき映像を制御するようにしてもよい。
【００３５】
以上のように、本実施形態によれば、ビデオカメラとディスプレイ装置１との位置関係に応じて、ディスプレイ装置１に表示すべき映像を制御しているので、よりリアリティの高い撮影が可能になる。
【００３６】
［その他の実施形態］
上記各実施形態は、本発明を説明するための例示であり、本発明をこれらの実施形態にのみ限定する趣旨ではない。本発明は、その要旨を逸脱しない限り、さまざまな形態で実施することができる。例えば、上記機能実現手段の動作をシーケンシャルに説明したが、特にこれにこだわるものではない。従って、動作に矛盾が生じない限り、処理の順序を入れ替えまたは並行動作するように構成しても良い。
【００３７】
【発明の効果】
本発明によれば、スタジオセットで用いられる従来の写真パネルに代わる、リアルな背景を演出する新たな遠見パネルおよびこれを用いたスタジオセットが提供されることになる。
【００３８】
また、本発明によれば、高精細映像を撮影可能なビデオカメラを用いてスタジオセット用パネル（ディスプレイ装置）を撮影した場合であっても、その撮影された映像にモアレが映し出されることがないため、良質の映像を得ることができるようになる。
【図面の簡単な説明】
【図１】本実施形態に係るスタジオセット用ディスプレイ装置を用いたスタジオセットの一例を示す図である。
【図２】本実施形態に係るディスプレイ装置１の表示面の部分断面図である。
【図３】本発明の一実施形態に係るディスプレイ装置を撮影した場合に、その映像内のモアレ発生が抑制される理由を説明するための図である。
【図４】本実施形態に係るスタジオセットの構成を説明する概略図である。
【図５】本実施形態に係る表示制御系の処理動作を説明するためのフローチャートである。
【図６】ディスプレイ装置を撮影した場合に、その映像内に発生したモアレを説明するための図である。
【図７】ディスプレイ装置を撮影した場合に、その映像内にモアレが発生する原因を説明するための図である。
【符号の説明】
１…ディスプレイ装置
２１…ＬＥＤ
２２…アクリル樹脂板
２３…光拡散フィルム
【図１】
0004505559.tif 000002
【図２】
0004505559.tif 000003
【図３】
0004505559.tif 000004
【図４】
0004505559.tif 000005
【図５】
0004505559.tif 000006
【図６】
0004505559.tif 000007
【図７】
0004505559.tif 000008